(57)【特許請求の範囲】
【請求項１】
シートを２枚重ねにして略平板状に構成され、メッセージを表記可能なメッセージ欄をそれぞれ備えた一方面及び他方面を含む複数面を有するシート体であって、
前記複数面は、
２枚シートのうち少なくとも縁部を貼り合わせた挿入部と、２枚シートの間に前記挿入部の収納空間を形成するように縁部を開口させた被挿入部と、を有し、
前記複数の面のそれぞれの間に、折り線又は切り込みを設け、
所定の前記挿入部の所定の前記被挿入部への挿入、及び、所定の折り線における折り込み、によって、
第１前面と、第１後面と、第１底面と、第１頂面と、第１左面と、第１右面とを有し、前記一方面及び前記他方面がそれぞれ前記第１前面及び前記第１後面となる、略立方体又は略直方体形状をなす第１態様と、
横置きにしたときに互いに連通する左・右開口部を形成するとともに、第２前面と、第２後面と、第２底面と、第２頂面とを有し、前記一方面及び前記他方面がそれぞれ前記第２前面及び前記第２後面となる、中空四角筒形状の第２態様と、
横置きにしたときに互いに連通する左・右開口部を形成するとともに、第３底面と、前記第３底面に対しそれぞれ斜交する２つの天面と、を有し、前記一方面及び前記他方面のうち一方が前記２つの天面のうちの１つとなり他方が前記底面となる、中空三角筒形状の第３態様と、
を含む複数の立体形状態様を選択的に実現可能に構成された
ことを特徴とするシート体。
【請求項２】
請求項１記載のシート体において、
前記複数の立体形状態様は、さらに、
縦置きにしたときに上方への開口部を形成するとともに、第４前面と、第４後面と、第４底面と、第４左面と、第４右面とを有し、前記一方面及び前記他方面がそれぞれ前記第４前面及び前記第４後面となる、有底四角筒形状の第４態様を含み、
所定の前記挿入部の所定の前記被挿入部への挿入、及び、所定の折り線における折り込み、によって、前記第１態様、前記第２態様、前記第３態様、前記第４態様を選択的に実現可能に構成された
ことを特徴とするシート体。
【請求項３】
請求項２記載のシート体において、
前記複数の立体形状態様は、さらに、
平置きにしたときに前記一方面又は前記他方面が上部露出する上面となる一方、前記複数の面のうち当該一方面又は当該他方面以外の面は前記上面の下方で重ねられつつ折りたたまれる、略扁平形状の第５態様を含み、
所定の前記挿入部の所定の前記被挿入部への挿入、及び、所定の折り線における折り込み、によって、前記第１態様、前記第２態様、前記第３態様、前記第４態様、前記第５態様を選択的に実現可能に構成された
ことを特徴とするシート体。
【請求項４】
請求項３記載のシート体において、
前記第５態様を実現するための折り込みにおける折り線の数は、
前記第１態様、前記第２態様、前記第３態様、前記第４態様のいずれか１態様を実現するための折り込みにおける折り線の数よりも、多いことを特徴とするシート体。
【請求項５】
請求項３又は請求項４記載のシート体において、
前記第２態様、前記第３態様、前記第４態様、前記第５態様のいずれか１態様を実現した場合、前記一方面又は前記他方面が備える前記メッセージ欄が、前記実現された態様がなす形状における外部に露出することを特徴とするシート体。
【請求項６】
請求項１乃至請求項５のいずれか１項記載のシート体において、
前記第１態様を実現した場合、前記一方面及び前記他方面が備える前記メッセージ欄が、前記第１態様がなす前記略立方体又は前記略直方体形状における内側に位置することを特徴とするシート体。
【請求項７】
請求項１乃至請求項６のいずれか１項記載のシート体において、
前記被挿入部の開口長さは、
前記挿入部の縁部であって、前記挿入部が前記被挿入部に挿入される際に前記被挿入部の開口に対向する縁部長さよりも長いことを特徴とするシート体。
【発明の詳細な説明】
【技術分野】
【０００１】
本発明は、複数面を有し、複数面のそれぞれの間に折り線又は切り込みが設けられ、折り線における折り込み等によって立体形状態様を実現可能なシート体に関する。
【背景技術】
【０００２】
従来、所定の物品類を収納し輸送するための組立箱が知られている（例えば、特許文献１参照）。この従来技術には、組立箱を組立て、物品類が収納されて封止したときに、組立箱の内側に隠れてしまう部分に、メッセージ欄を形成する構成が記載されている。これにより、メッセージや用件等を書いたメモを別途用意する必要もなく、メッセージを物品類とともに、他から見られることなく相手先に届けることができる。
【先行技術文献】
【特許文献】
【０００３】
【特許文献１】特開平１１−２６３３３４号公報
【発明の概要】
【発明が解決しようとする課題】
【０００４】
ところで、この種の組立箱においては、相手先に届けられて物品類を取出した後に、メッセージ欄に記載されたメッセージ等を飾る要望がある。即ち、組立箱から物品類を取出した後に、その形状態様を、メッセージ等を飾るのに適した態様に変形させると好適である。しかしながら、上記従来技術では、物品類の取出し後において、形状態様を変形させ、メッセージを飾ることについては、配慮されていない。
【０００５】
本発明の目的は、形状態様の変形が可能で、メッセージを飾ることができるシート体を提供することにある。
【課題を解決するための手段】
【０００６】
上記目的を達成するために、本願発明は、シートを２枚重ねにして略平板状に構成され、メッセージを表記可能なメッセージ欄をそれぞれ備えた一方面及び他方面を含む複数面を有するシート体であって、前記複数面は、２枚シートのうち少なくとも縁部を貼り合わせた挿入部と、２枚シートの間に前記挿入部の収納空間を形成するように縁部を開口させた被挿入部と、を有し、前記複数の面のそれぞれの間に、折り線又は切り込みを設け、所定の前記挿入部の所定の前記被挿入部への挿入、及び、所定の折り線における折り込み、によって、第１前面と、第１後面と、第１底面と、第１頂面と、第１左面と、第１右面とを有し、前記一方面及び前記他方面がそれぞれ前記第１前面及び前記第１後面となる、略立方体又は略直方体形状をなす第１態様と、横置きにしたときに互いに連通する左・右開口部を形成するとともに、第２前面と、第２後面と、第２底面と、第２頂面とを有し、前記一方面及び前記他方面がそれぞれ前記第２前面及び前記第２後面となる、中空四角筒形状の第２態様と、横置きにしたときに互いに連通する左・右開口部を形成するとともに、第３底面と、前記第３底面に対しそれぞれ斜交する２つの天面と、を有し、前記一方面及び前記他方面のうち一方が前記２つの天面のうちの１つとなり他方が前記底面となる、中空三角筒形状の第３態様と、を含む複数の立体形状態様を選択的に実現可能に構成されたことを特徴とする。
【０００７】
本願発明のシート体においては、メッセージ欄をそれぞれ備えた一方面及び他方面を含む複数面が備えられる。複数面のそれぞれの間に設けられた折り線における折り込みと、複数面が有する挿入部の被挿入部への挿入により、複数の立体形状態様が選択的に実現可能となる。実現可能な立体形状態様は、第１態様、第２態様、第３態様である。これらのうち何れか１態様から、他の態様に変形させることができ、変形後の形状態様を、別用途に適したものとすることができる。
【０００８】
第１態様は、略立方体又は略直方体形状をなす。このため、所定の物品類を収納し輸送しつつ、メッセージ等を送るために用いることができる。第１態様では、一方面及び他方面が、それぞれ第１前面及び第１後面となる。このため、第１前面、第１後面に対し直接メッセージ等を記載でき、メッセージ等を書いたメモを別途用意する必要がなくなる。
【０００９】
第２態様は、中空四角筒形状をなし、一方面及び他方面が、それぞれ第２前面及び第２後面となる。従って、第２前面及び第２後面の２面を用いて、多くのメッセージ等を表示するよう飾ることができる。第３態様は、中空三角筒形状をなし、一方面及び他方面のうち一方が天面となり、他方が第３底面となる。このため、一方のメッセージ等を天面にて表示しつつ、他方のメッセージ等を底面にて隠すよう飾ることができる。また、中空三角筒形状をなすため、安定的に置くことができる。
【００１０】
以上より、例えば、第１態様から第２態様又は第３態様に変形させることで、物品類を収容可能なメッセージ欄付きの箱から、メッセージを飾るためのオブジェへと変形させることができる。従って、第１態様に対応する箱から物品類を取出した後に、その箱を第２態様又は第３態様に対応するオブジェに変形させて、メッセージを飾ることができる。また、第２態様及び第３態様の何れか一方から他方へ変形させることで、メッセージの飾り方を変更することができる。
【発明の効果】
【００１１】
本発明によれば、形状態様の変形が可能で、メッセージを飾ることができる。
【図面の簡単な説明】
【００１２】
【図１】本発明の一実施形態によるシート体の展開図である。
【図２】シート体の組立てにより完成した第１態様の箱体の全体構造を表す斜視図である。
【図３】第１態様の箱体を組立てている状態の外観を表す斜視図である。
【図４】シート体の組立てにより完成した第２態様のオブジェの全体構造を表す斜視図である。
【図５】第２態様のオブジェを組立てている状態の外観を表す斜視図である。
【図６】シート体の組立てにより完成した第３態様のオブジェの全体構造を表す斜視図である。
【図７】第３態様のオブジェを組立てている状態の外観を表す斜視図である。
【図８】シート体の組立てにより完成した第４態様のオブジェの全体構造を表す斜視図である。
【図９】第４態様のオブジェを組立てている状態の外観を表す斜視図である。
【図１０】シート体の組立てにより完成した第５態様のオブジェの全体構造を表す斜視図である。
【図１１】第５態様のオブジェを組立てている状態の外観を表す平面図である。
【発明を実施するための形態】
【００１３】
以下、本発明の一実施形態を図面を参照して説明する。
【００１４】
＜シート体の全体概略構成＞
本実施形態によるシート体１００を図１に示す。シート体１００は、シートを２枚重ねにして左右対称な略平板状に構成され、図１（ａ）に示す表面、及び、図１（ｂ）に示す裏面が規定される。シート体１００の縁部は、開口Ｅ１１１、Ｅ１２１が形成される部位以外は、貼り合わせられている。シート体１００は、１５個の面Ｓ１〜Ｓ１５を有する。面Ｓ１〜Ｓ１５は連設され、それぞれの間には、折り線Ｌ１〜Ｌ１４、切り込みＣ１〜Ｃ８が設けられる。図１（ａ）に示すように、シート体１００の表面において、面Ｓ４（一方面に相当する）及び面Ｓ１０（他方面に相当する）は、メッセージ欄Ｍ１及びＭ２をそれぞれ備える。メッセージ欄Ｍ１及びＭ２は、メッセージを表記可能となっている。一方、図１（ｂ）に示すように、シート体１００の裏面においては、何れの面もメッセージ欄を備えていない。なお、上下方向、前後方向、左右方向は、図１等の各図中に適宜示す矢印向に対応している。なお、以下適宜、後側を「奥側」、前側を「手前側」と称する。
【００１５】
図１に示すように、シート体１００の上端部の左右方向中央に、長方形の面Ｓ１が、長辺が左右方向に沿うよう設けられる。面Ｓ１の左端及び右端には、長方形の面Ｓ２及びＳ３が、互いの短辺が重なり合うようそれぞれ連設される。面Ｓ１と、面Ｓ２及びＳ３との間には、折り線Ｌ１及びＬ２がそれぞれ設けられる。面Ｓ１の下端には、長方形の面Ｓ４が、互いの長辺が重なり合うよう連設される。面Ｓ１と、面Ｓ４との間には、折り線Ｌ３が設けられる。
【００１６】
面Ｓ４の左端及び右端には、台形の面Ｓ５及びＳ６がそれぞれ連設される。面Ｓ５の右端辺は、面Ｓ４の左端短辺と重なり合うとともに、面Ｓ５の左端辺Ｅ５と平行である。左端辺Ｅ５は、面Ｓ５の右端辺よりも短い。面Ｓ６の左端辺は、面Ｓ４の右端短辺と重なり合うとともに、面Ｓ６の右端辺Ｅ６と平行である。右端辺Ｅ６は、面Ｓ６の左端辺よりも短い。面Ｓ４と、面Ｓ５及びＳ６との間には、折り線Ｌ４及びＬ５がそれぞれ設けられる。
【００１７】
面Ｓ４の下端には、長方形の面Ｓ７が、互いの長辺が重なり合うよう連設される。面Ｓ４と、面Ｓ７との間には、折り線Ｌ６が設けられる。面Ｓ７の左端及び右端には、長方形の面Ｓ８及びＳ９が、互いの短辺が重なり合うようそれぞれ連設される。面Ｓ７と、面Ｓ８及びＳ９との間には、折り線Ｌ７及びＬ８がそれぞれ設けられる。面Ｓ７の下端には、長方形の面Ｓ１０が、互いの長辺が重なり合うよう連設される。面Ｓ７と、面Ｓ１０との間には、折り線Ｌ９が設けられる。
【００１８】
面Ｓ１０の左端及び右端には、長方形の面Ｓ１１及びＳ１２がそれぞれ連設される。面Ｓ１１の右端長辺は、面Ｓ１０の左端短辺と重なり合うとともに、面Ｓ１１の左端長辺Ｅ１１と平行で同一の長さを有する。面Ｓ１２の左端長辺は、面Ｓ１０の右端短辺と重なり合うとともに、面Ｓ１２の右端長辺Ｅ１２と平行で同一の長さを有する。面Ｓ１０と、面Ｓ１１及びＳ１２との間には、折り線Ｌ１０及びＬ１１がそれぞれ設けられる。
【００１９】
シート体１００の下端部の左右方向中央であって、面Ｓ１０の下端には、長方形の面Ｓ１３が、互いの長辺が重なり合うよう連設される。面Ｓ１０と、面Ｓ１３との間には、折り線Ｌ１２が設けられる。面Ｓ１３の左端及び右端には、長方形の面Ｓ１４及びＳ１５が、互いの短辺が重なり合うよう連設される。面Ｓ１３と、面Ｓ１４及びＳ１５との間には、折り線Ｌ１３及びＬ１４がそれぞれ設けられる。
【００２０】
面Ｓ２と、面Ｓ５との間には、切り込みＣ１が設けられる。切り込みＣ１は、面Ｓ２の下端長辺及び面Ｓ５の上端斜辺に沿って形成される。面Ｓ３と、面Ｓ６との間には、切り込みＣ２が設けられる。切り込みＣ２は、面Ｓ３の下端長辺及び面Ｓ６の上端斜辺に沿って形成される。面Ｓ５と、面Ｓ８との間には、切り込みＣ３が設けられる。切り込みＣ３は、面Ｓ５の下端斜辺及び面Ｓ８の上端長辺に沿って形成される。面Ｓ６と、面Ｓ９との間には、切り込みＣ４が設けられる。切り込みＣ４は、面Ｓ６の下端斜辺及び面Ｓ９の上端長辺に沿って形成される。面Ｓ８と、面Ｓ１１との間には、切り込みＣ５が設けられる。切り込みＣ５は、面Ｓ８の下端長辺及び面Ｓ１１の上端短辺に沿って形成される。面Ｓ９と、面Ｓ１２との間には、切り込みＣ６が設けられる。切り込みＣ６は、面Ｓ９の下端長辺及び面Ｓ１２の上端短辺に沿って形成される。面Ｓ１１と、面Ｓ１４との間には、切り込みＣ７が設けられる。切り込みＣ７は、面Ｓ１１の下端短辺及び面Ｓ１４の上端長辺に沿って形成される。面Ｓ１２と、面Ｓ１５との間には、切り込みＣ８が設けられる。切り込みＣ８は、面Ｓ１２の下端短辺及び面Ｓ１５の上端長辺に沿って形成される。
【００２１】
面Ｓ１、Ｓ４、Ｓ７、Ｓ１０、Ｓ１３の各長辺は、それぞれ同一の長さをなす。面Ｓ４及びＳ１０は、互いに同一形状をなす。面Ｓ７及びＳ１３は、互いに同一形状をなす。面Ｓ７及びＳ１３の各短辺は、面Ｓ４及びＳ１０の各短辺よりもそれぞれ短い。面Ｓ１の短辺は、面Ｓ７及びＳ１３の各短辺よりも短い。面Ｓ２及びＳ３の各長辺、面Ｓ５及びＳ６の左右方向高さ、面Ｓ８及びＳ９の各長辺、面Ｓ１１及びＳ１２の各短辺、面Ｓ１４及びＳ１５の各長辺は、それぞれ同一の長さをなし、面Ｓ１、Ｓ４、Ｓ７、Ｓ１０、Ｓ１３の各長辺よりも短い。面Ｓ１１の左端長辺Ｅ１１は、面Ｓ５の左端辺Ｅ５よりも長い。面Ｓ１２の右端長辺Ｅ１２は、面Ｓ６の右端辺Ｅ６よりも長い。
【００２２】
シート体１００は、所定の縁部で貼り合わせられる。貼り合わせ部位は、面Ｓ１の上端長辺、面Ｓ２の上下端各長辺・左端短辺、面Ｓ３の上下端各長辺・右端短辺、面Ｓ５の上下端各斜辺・左端辺Ｅ５、面Ｓ６の上下端各斜辺・右端辺Ｅ６、面Ｓ８の上下端各長辺・左端短辺、面Ｓ９の上下端各長辺・右端短辺、面Ｓ１１の上下端各短辺、面Ｓ１２の上下端各短辺、面Ｓ１３の下端長辺、面Ｓ１４の上下端各長辺・左端短辺、面Ｓ１５の上下端各長辺・右端短辺である。
【００２３】
一方、面Ｓ１１の左端長辺Ｅ１１、面Ｓ１２の右端長辺Ｅ１２は、貼り合わせされない。このため、左端長辺Ｅ１１、右端長辺Ｅ１２に沿って、開口Ｅ１１１及びＥ１２１がそれぞれ形成される。面Ｓ１１及びＳ１２（被挿入部に相当する）においては、開口Ｅ１１１及びＥ１２１を介して、面Ｓ５及びＳ６（挿入部に相当する）を２枚シートの間にそれぞれ収納する空間が形成される。ここにおいて、面Ｓ５の左端辺Ｅ５、面Ｓ６の右端辺Ｅ６は、面Ｓ５及びＳ６の縁部であって、面Ｓ５及びＳ６が面Ｓ１１及びＳ１２にそれぞれ挿入される際に、開口Ｅ１１１及びＥ１２１に対向する。開口Ｅ１１１及びＥ１２１の寸法としては、シート体１００を平置きした状態において、開口Ｅ１１１及びＥ１２１の長さは、左端長辺Ｅ１１、右端長辺Ｅ１２の長さとそれぞれ同一となる。左端長辺Ｅ１１、右端長辺Ｅ１２の長さは、左端辺Ｅ５、右端辺Ｅ６よりもそれぞれ長い。従って、開口Ｅ１１１及びＥ１２１の長さは、左端辺Ｅ５、右端辺Ｅ６よりもそれぞれ長い。
【００２４】
以上のように構成されたシート体１００は、面Ｓ１１への開口Ｅ１１１を介した面Ｓ５の挿入、面Ｓ１２への開口Ｅ１２１を介した面Ｓ６の挿入、折り線Ｌ１〜Ｌ１４における折り込み、によって、複数の立体形状態様を選択的に実現可能となっている。複数の立体形状態様は、第１〜５態様である。各態様の組立は、はさみ、のり等の器具を用いることなく、手組みで行うことができる。
【００２５】
＜第１態様の組立方法＞
次に、上記構成のシート体１００の形状態様を第１態様とするための組立方法の一例を、図１、図２、図３により説明する。組立により、シート体１００は、最終的に図２に示す第１態様の箱体１０となる。図２に示すように、箱体１０は、略直方体形状をなし、第１前面１１と、第１後面１２と、第１底面１３と、第１頂面１４と、第１左面１５と、第１右面１６と、を有する。
【００２６】
第１態様の組立は、図１（ａ）に示すように、シート体１００の表面が手前側を向くよう平置きされた状態から開始される。先ず、折り線Ｌ７及びＬ８をそれぞれ谷折りすることで、面Ｓ８及びＳ９を起こし、面Ｓ７に対し略直角にそれぞれ立設する。次いで、折り線Ｌ９を谷折りすることで、面Ｓ１０を起こし、面Ｓ７に対し略直角に立設する。次いで、折り線Ｌ１０及びＬ１１をそれぞれ谷折りすることで、面Ｓ１１及びＳ１２を起こし、面Ｓ１０に対し略直角にそれぞれ立設する。これにより、面Ｓ１１及びＳ１２は、面Ｓ８及びＳ９とそれぞれ重なり合い、面Ｓ７に対し略直角をなすよう配置される。
【００２７】
次いで、折り線Ｌ１３及びＬ１４をそれぞれ谷折りすることで、面Ｓ１４及びＳ１５を起こし、面Ｓ１３にそれぞれ重ね合わせる。次いで、折り線Ｌ１２を谷折りすることで、重ね合わせた面Ｓ１４及びＳ１５も一体的に面Ｓ１３を起こし、面Ｓ１０に対し略直角に立設する。これにより、面Ｓ１３、Ｓ１４、Ｓ１５が一体となった挿入部位Ｘが形成される（図３参照）。挿入部位Ｘは、面Ｓ１３、Ｓ１４、Ｓ１５が折り畳まれた状態で、図１における面Ｓ１３、Ｓ１４、Ｓ１５の下端辺の部分で挿入先端をなす。
【００２８】
次いで、折り線Ｌ４及びＬ５をそれぞれ谷折りすることで、面Ｓ５及びＳ６を起こし、面Ｓ４に対し略直角にそれぞれ立設する。これにより、面Ｓ５及びＳ６は、面Ｓ１１及びＳ１２と隣り合うようそれぞれ配置される。
【００２９】
次いで、折り線Ｌ１及びＬ２をそれぞれ谷折りすることで、面Ｓ２及びＳ３を起こし、面Ｓ１にそれぞれ重ね合わせる。次いで、折り線Ｌ３を谷折りすることで、重ね合わせた面Ｓ２及びＳ３も一体的に面Ｓ１を起こし、面Ｓ４に対し略直角に立設する。これにより、面Ｓ１、Ｓ２、Ｓ３が一体となった被挿入部位Ｙが形成される（図３参照）。被挿入部位Ｙは、面Ｓ１、Ｓ２、Ｓ３が折り畳まれた状態で、図１における面Ｓ１、Ｓ２、Ｓ３の上端辺の部分で開口をなす。この開口から挿入部位Ｘ（又は、後述する挿入部位Ｚ）が挿入されると、面Ｓ１、Ｓ２、Ｓ３にて挿入部位Ｘ（又は、後述する挿入部位Ｚ）を囲うように保持可能となっている。
【００３０】
次いで、折り線Ｌ６を谷折りすることで、面Ｓ１、Ｓ５、Ｓ６が面Ｓ４に対しそれぞれ立設している状態で、面Ｓ４を面Ｓ７に対し略直角となるまで起こしていく。この際、図３に示すように、面Ｓ５は、左端辺Ｅ５を先端として、面Ｓ１１の開口Ｅ１１１を介して収納空間に挿入される。これと同時に、面Ｓ６は、右端辺Ｅ６を先端として、面Ｓ１２の開口Ｅ１２１を介して収納空間に挿入される。面Ｓ５及びＳ６の挿入がある程度進むと、面Ｓ１、Ｓ２、Ｓ３で形成された被挿入部位Ｙが、面Ｓ１３、Ｓ１４、Ｓ１５で形成された挿入部位Ｘに接する。そして、面Ｓ４が、面Ｓ７に対して略直角に配置されると同時に、面Ｓ５及びＳ６の面Ｓ１１及びＳ１２への挿入と、挿入部位Ｘの被挿入部位Ｙへの挿入がそれぞれ完了する。以上の手順により、略直方体形状の箱体１０が完成する。
【００３１】
図２に示す箱体１０の第１前面１１、第１後面１２、第１底面１３、第１頂面１４、第１左面１５、第１右面１６は、それぞれ面Ｓ４、面Ｓ１０、面Ｓ７、面Ｓ１及びＳ１３、面Ｓ１２、面Ｓ１１に対応する。面Ｓ４及びＳ１０には、メッセージ欄Ｍ１及びＭ２が備えられている。このため、メッセージ欄Ｍ１及びＭ２は、第１前面１１及び第１後面１２の内側にそれぞれ位置する。
【００３２】
＜第２態様の組立方法＞
次に、上記構成のシート体１００の形状態様を第２態様とするための組立方法の一例を、図１、図４、図５により説明する。組立により、シート体１００は、最終的に図４に示す第２態様のオブジェ２０となる。図４に示すように、オブジェ２０は、中空四角筒形状をなし、横置きにしたときに互いに連通する左開口部２０ａ及び右開口部２０ｂを形成するとともに、第２前面２１と、第２後面２２と、第２底面２３と、第２頂面２４と、を有する。
【００３３】
第２態様の組立は、図１（ｂ）に示すように、シート体１００の裏面が手前側を向くよう平置きされた状態から開始される。先ず、折り線Ｌ１、Ｌ２、Ｌ４、Ｌ５、Ｌ７、Ｌ８、Ｌ１０、Ｌ１１、Ｌ１３、Ｌ１４をそれぞれ谷折りすることで、面Ｓ２及びＳ３を起こし面Ｓ１に重ね合わせ、面Ｓ５及びＳ６を起こし面Ｓ４に重ね合わせ、面Ｓ８及びＳ９を起こし面Ｓ７に重ね合わせ、面Ｓ１１及びＳ１２を起こし面Ｓ１０に重ね合わせ、面Ｓ１４及びＳ１５を起こし面Ｓ１３に重ね合わせる。
【００３４】
次いで、折り線Ｌ１２を谷折りすることで、重ね合わせた面Ｓ１４及びＳ１５も一体的に面Ｓ１３を起こし、面Ｓ１０に対し略直角に立設する。これにより、面Ｓ１３、Ｓ１４、Ｓ１５が一体となった挿入部位Ｘが形成される（図５参照）。次いで、折り線Ｌ３を谷折りすることで、重ね合わせた面Ｓ２及びＳ３も一体的に面Ｓ１を起こし、面Ｓ４に対し略直角に立設する。これにより、面Ｓ１、Ｓ２、Ｓ３が一体となった被挿入部位Ｙが形成される（図５参照）。
【００３５】
次いで、折り線Ｌ９を谷折りすることで、面Ｓ１３（挿入部位Ｘ）が面Ｓ１０に対し立設し、且つ、面Ｓ１１及びＳ１２が面Ｓ１０に重ね合わせられている状態で、面Ｓ１０を起こし、面Ｓ７に対し略直角に立設する。次いで、折り線Ｌ６を谷折りすることで、面Ｓ１（被挿入部位Ｙ）が面Ｓ４に対し立設し、且つ、面Ｓ５及びＳ６が面Ｓ４に重ね合わせられている状態で、面Ｓ４を面Ｓ７に対し略直角となるまで起こしていく。この際、図５に示すように、面Ｓ１、Ｓ２、Ｓ３で形成された被挿入部位Ｙが、面Ｓ１３、Ｓ１４、Ｓ１５で形成された挿入部位Ｘに向かう。そして、面Ｓ４が、面Ｓ７に対して略直角に配置されると同時に、挿入部位Ｘの被挿入部位Ｙへの挿入が完了する。以上の手順により、中空四角筒形状のオブジェ２０が完成する。
【００３６】
図４に示すオブジェ２０の第２前面２１、第２後面２２、第２底面２３、第２頂面２４は、それぞれ面Ｓ４、面Ｓ１０、面Ｓ７、面Ｓ１及びＳ１３に対応する。面Ｓ４及びＳ１０には、メッセージ欄Ｍ１及びＭ２が備えられている。このため、メッセージ欄Ｍ１及びＭ２は、第２前面２１及び第２後面２２の外側にそれぞれ位置する。
【００３７】
＜第３態様の組立方法＞
次に、上記構成のシート体１００の形状態様を第３態様とするための組立方法の一例を、図１、図６、図７により説明する。組立により、シート体１００は、最終的に図６に示す第３態様のオブジェ３０となる。図６に示すように、オブジェ３０は、中空三角筒形状をなし、横置きにしたときに互いに連通する左開口部３０ａ及び右開口部３０ｂを形成するとともに、第３底面３１と、第１天面３２と、第２天面３３と、を有する。第１天面３２及び第２天面３３は、第３底面３１に対しそれぞれ斜交している。
【００３８】
第３態様の組立は、図１（ｂ）に示すように、シート体１００の裏面が手前側を向くよう平置きされた状態から開始される。先ず、折り線Ｌ１、Ｌ２、Ｌ４、Ｌ５、Ｌ７、Ｌ８、Ｌ１０、Ｌ１１、Ｌ１３、Ｌ１４をそれぞれ谷折りすることで、面Ｓ２及びＳ３を起こし面Ｓ１に重ね合わせ、面Ｓ５及びＳ６を起こし面Ｓ４に重ね合わせ、面Ｓ８及びＳ９を起こし面Ｓ７に重ね合わせ、面Ｓ１１及びＳ１２を起こし面Ｓ１０に重ね合わせ、面Ｓ１４及びＳ１５を起こし面Ｓ１３に重ね合わせる。
【００３９】
次いで、折り線Ｌ１２を谷折りすることで、重ね合わせた面Ｓ１４及びＳ１５も一体的に面Ｓ１３を起こし、面Ｓ１０に重ね合わせた面Ｓ１１、Ｓ１２に更に重ね合わせる。これにより、面Ｓ１０、Ｓ１１、Ｓ１２、Ｓ１３、Ｓ１４、Ｓ１５が一体となった挿入部位Ｚが形成される（図７参照）。挿入部位Ｚは、面Ｓ１０、Ｓ１１、Ｓ１２、Ｓ１３、Ｓ１４、Ｓ１５がそれぞれ折り畳まれた状態で、図１に示す折り線Ｌ１２の部分で挿入先端をなす。次いで、折り線Ｌ３を谷折りすることで、重ね合わせた面Ｓ２、Ｓ３も一体的に面Ｓ１を起こし、面Ｓ４に対し鋭角をなすように立設する。これにより、面Ｓ１、Ｓ２、Ｓ３が一体となった被挿入部位Ｙが形成される（図７参照）。
【００４０】
次いで、折り線Ｌ９を谷折りすることで、面Ｓ１１、Ｓ１２、Ｓ１３、Ｓ１４、Ｓ１５が面Ｓ１０に重ね合わせられている状態で、面Ｓ１０（挿入部位Ｚ）を面Ｓ７に対し鋭角をなすよう起こしていく。これとともに、折り線Ｌ６を谷折りすることで、面Ｓ１（被挿入部位Ｙ）が面Ｓ４に対し立設し、且つ、面Ｓ５及びＳ６が面Ｓ４に重ね合わせられている状態で、面Ｓ４を面Ｓ７に対し鋭角をなすよう起こしていく。この際、図７に示すように、面Ｓ１、Ｓ２、Ｓ３で形成された被挿入部位Ｙが、面Ｓ１０、Ｓ１１、Ｓ１２、Ｓ１３、Ｓ１４、Ｓ１５で形成された挿入部位Ｚに向かう。そして、挿入部位Ｚの被挿入部位Ｙへの挿入が完了する。以上の手順により、中空三角筒形状のオブジェ３０が完成する。
【００４１】
図６に示すオブジェ３０の第３底面３１と、第１天面３２と、第２天面３３は、それぞれ面Ｓ１及び面Ｓ１０、面Ｓ４、面Ｓ７に対応する。面Ｓ４及びＳ１０には、メッセージ欄Ｍ１及びＭ２が備えられている。このため、メッセージ欄Ｍ１及びＭ２は、第１天面３２及び第３底面３１の外側にそれぞれ位置する。
【００４２】
＜第４態様の組立方法＞
次に、上記構成のシート体１００の形状態様を第４態様とするための組立方法の一例を、図１、図８、図９により説明する。組立により、シート体１００は、最終的に図８に示す第４態様のオブジェ４０となる。図８に示すように、オブジェ４０は、有底四角筒形状をなし、縦置きにしたときに上方への開口部４０ａを形成するとともに、第４前面４１と、第４後面４２と、第４底面４３と、第４左面４４と、第４右面４５と、を有する。
【００４３】
第４態様の組立は、図１（ｂ）に示すように、シート体１００の裏面が手前側を向くよう平置きされた状態から開始される。先ず、折り線Ｌ４、Ｌ７、Ｌ１０をそれぞれ谷折りすることで、面Ｓ５を起こし面Ｓ４に重ね合わせ、面Ｓ８を起こし面Ｓ７に重ね合わせ、面Ｓ１１を起こし面Ｓ１０に重ね合わせる。次いで、折り線Ｌ８を谷折りすることで、面Ｓ９を起こし、面Ｓ７に対し略直角に立設する。次いで、折り線Ｌ９を谷折りすることで、面Ｓ１１が重ね合わせられた状態で面Ｓ１０を起こし、面Ｓ７に対し略直角に立設する。次いで、折り線Ｌ１１を谷折りすることで、面Ｓ１２を起こし、面Ｓ１０に対し略直角に立設する。これにより、面Ｓ１２は、面Ｓ９と重なり合うよう、面Ｓ７に対し略直角をなすよう配置される。
【００４４】
次いで、折り線Ｌ１３及びＬ１４をそれぞれ谷折りすることで、面Ｓ１４及びＳ１５を起こし、面Ｓ１３にそれぞれ重ね合わせる。次いで、折り線Ｌ１２を谷折りすることで、重ね合わせた面Ｓ１４及びＳ１５も一体的に面Ｓ１３を起こし、面Ｓ１０に対し略直角に立設する。これにより、面Ｓ１３、Ｓ１４、Ｓ１５が一体となった挿入部位Ｘが形成される（図９参照）。
【００４５】
次いで、折り線Ｌ５を谷折りすることで、面Ｓ６を起こし、面Ｓ４に対し略直角に立設する。これにより、面Ｓ６は、面Ｓ１２と隣り合うよう配置される。次いで、折り線Ｌ１及びＬ２をそれぞれ谷折りすることで、面Ｓ２及びＳ３を起こし、面Ｓ１にそれぞれ重ね合わせる。次いで、折り線Ｌ３を谷折りすることで、重ね合わせた面Ｓ２及びＳ３も一体的に面Ｓ１を起こし、面Ｓ４に対し略直角に立設する。これにより、面Ｓ１、Ｓ２、Ｓ３が一体となった被挿入部位Ｙが形成される（図９参照）。
【００４６】
次いで、折り線Ｌ６を谷折りすることで、面Ｓ１（被挿入部位Ｙ）及びＳ６が面Ｓ４に対しそれぞれ立設し、且つ、面Ｓ５が面Ｓ４に重ね合わせられた状態で、面Ｓ４を面Ｓ７に対し略直角となるまで起こしていく。この際、図９に示すように、面Ｓ６は、左端辺Ｅ６を先端として、面Ｓ１２の開口Ｅ１２１を介して収納空間に挿入される。面Ｓ６の挿入がある程度進むと、面Ｓ１、Ｓ２、Ｓ３で形成された被挿入部位Ｙが、面Ｓ１３、Ｓ１４、Ｓ１５で形成された挿入部位Ｘに接する。そして、面Ｓ４が、面Ｓ７に対して略直角に配置されると同時に、面Ｓ６の面Ｓ１２への挿入と、挿入部位Ｘの被挿入部位Ｙへの挿入が完了する。以上の手順により、有底四角筒形状のオブジェ４０が完成する。
【００４７】
図８に示すオブジェ４０の第４前面４１、第４後面４２、第４底面４３、第４左面４４、第４右面４５は、それぞれ面Ｓ４、面Ｓ１０、面Ｓ１１、面Ｓ１及びＳ１３、面Ｓ７に対応する。面Ｓ４及びＳ１０には、メッセージ欄Ｍ１及びＭ２が備えられている。このため、メッセージ欄Ｍ１及びＭ２は、第４前面４１及び第４後面４２の外側にそれぞれ位置する。
【００４８】
＜第５態様の組立方法＞
次に、上記構成のシート体１００の形状態様を第５態様とするための組立方法の一例を、図１、図１０、図１１により説明する。組立により、シート体１００は、最終的に図１０に示す第５態様のオブジェ５０となる。図１０（ａ）に示すように、オブジェ５０は、平置きにしたときに上面５１が規定される略扁平形状をなす。図１０（ｂ）に示すように、上面５１以外の複数の面は、上面５１の下方で重ねられつつ折りたたまれている。
【００４９】
第５態様の組立は、図１（ｂ）に示すように、シート体１００の裏面が手前側を向くよう平置きされた状態から開始される。先ず、折り線Ｌ１、Ｌ２、Ｌ４、Ｌ５、Ｌ７、Ｌ８、Ｌ１０、Ｌ１１、Ｌ１３、Ｌ１４をそれぞれ谷折りすることで、面Ｓ２及びＳ３を起こし面Ｓ１に重ね合わせ、面Ｓ５及びＳ６を起こし面Ｓ４に重ね合わせ、面Ｓ８及びＳ９を起こし面Ｓ７に重ね合わせ、面Ｓ１１及びＳ１２を起こし面Ｓ１０に重ね合わせ、面Ｓ１４及びＳ１５を起こし面Ｓ１３に重ね合わせる。
【００５０】
次いで、折り線Ｌ１２を谷折りすることで、重ね合わせた面Ｓ１４及びＳ１５も一体的に面Ｓ１３を起こし、面Ｓ１０に重ね合わせた面Ｓ１１及びＳ１２に更に重ね合わせる。これにより、面Ｓ１０、Ｓ１１、Ｓ１２、Ｓ１３、Ｓ１４、Ｓ１５が一体となった挿入部位Ｚが形成される（図１１参照）。次いで、折り線Ｌ３を谷折りすることで、重ね合わせた面Ｓ２及びＳ３も一体的に面Ｓ１を起こし、面Ｓ４に対し鋭角をなすように立設する。これにより、面Ｓ１、Ｓ２、Ｓ３が一体となった被挿入部位Ｙが形成される（図１１参照）。
【００５１】
第５態様の組立においては、他の態様の組立に比して、折り線の数が１つ多くなる。上記挿入部位Ｚの形成に続き、被挿入部位Ｙが形成された段階において、図１１（ａ）に示すように、面Ｓ１０に面Ｓ１１、Ｓ１２、Ｓ１３（面Ｓ１３には、面Ｓ１４及びＳ１５が重ね合わされている）が重ね合わされた領域の上下方向の略中央に、折り線Ｌ１５が規定される。折り線Ｌ１５は、折り線Ｌ９及びＬ１２と互いに平行である。折り線Ｌ１５により、上記領域は、上側が面Ｓ１０１、下側が面Ｓ１０２となるよう区画される。面Ｓ１０２が、挿入部位Ｚに対応する。次いで、図１１（ｂ）に示すように、折り線Ｌ１５を山折りすることで、面Ｓ１０２を起こし、シート体１００の表面にて面Ｓ１０１に重ね合わせる。次いで、図１１（ｃ）に示すように、折り線Ｌ９を谷折りすることで、表面にて面Ｓ１０２が面Ｓ１０１に重ね合わされている状態で、面Ｓ１０１を、裏面にて面Ｓ７に重ね合わせた面Ｓ８及びＳ９に更に重ね合わせる。これにより、面Ｓ１０２の挿入部位Ｚの挿入先端（折り線Ｌ１２）が、シート体１００の下端に突出する。次いで、図１１（ｄ）に示すように、折り線Ｌ６を谷折りすることで、面Ｓ８、Ｓ９、Ｓ１０１、Ｓ１０２が面Ｓ７に重ね合わせられている状態で、面Ｓ７を面Ｓ４に対し鋭角をなすよう起こしていく。この際、面Ｓ１０２の挿入部位Ｚが、面Ｓ１、Ｓ２、Ｓ３で形成された被挿入部位Ｙに接する。そして、挿入部位Ｚの被挿入部位Ｙへの挿入が完了する。以上の手順により、略扁平形状のオブジェ５０が完成する。
【００５２】
図１０（ａ）に示すオブジェ５０の上面５１は、面Ｓ４に対応する。図１０（ｂ）に示すオブジェ５０の上面５１の下方には、図１１に示すように複数面が折り畳まれて収納されて、面Ｓ１及びＳ７のみが外側に露出する。面Ｓ４及びＳ１０には、メッセージ欄Ｍ１及びＭ２が備えられている。このため、メッセージ欄Ｍ１は、図１０（ａ）に示すように、上面５１の外側に位置する。なお、面Ｓ１０のメッセージ欄Ｍ２は外側に露出しない。
【００５３】
＜実施形態の効果＞
以上説明したように、本実施形態のシート体１００においては、メッセージ欄Ｍ１及びＭ２をそれぞれ備えた面Ｓ４及びＳ１０を含む複数面Ｓ１〜Ｓ１５が備えられる。複数面Ｓ１〜Ｓ１５のそれぞれの間に設けられた折り線Ｌ１〜Ｌ１４における折り込みと、複数面のうち面Ｓ５（左端辺Ｅ５）及びＳ６（右端辺Ｅ６）の面Ｓ１１（開口Ｅ１１１）及びＳ１２（開口Ｅ１２１）への挿入により、複数の立体形状態様が選択的に実現可能となる。実現可能な立体形状態様は、第１態様、第２態様、第３態様、第４態様、第５態様である。これらのうち何れか１態様から、他の態様に変形させることができ、変形後の形状態様を、別用途に適したものとすることができる。
【００５４】
第１態様は、略直方体形状をなす箱体１０である。このため、所定の物品類を収納し輸送しつつ、メッセージ等を送るために用いることができる。第１態様では、メッセージ欄Ｍ１及びＭ２を備える面Ｓ４及びＳ１０が、それぞれ第１前面１１及び第１後面１２となる。このため、第１前面１１、第１後面１２に対し直接メッセージ等を記載でき、メッセージ等を書いたメモを別途用意する必要がなくなる。
【００５５】
第２態様は、中空四角筒形状をなすオブジェ２０である。メッセージ欄Ｍ１及びＭ２を備える面Ｓ４及びＳ１０が、それぞれ第２前面２１及び第２後面２２となる。従って、第２前面２１及び第２後面２２の２面を用いて、多くのメッセージ等を表示するよう飾ることができる。第３態様は、中空三角筒形状をなすオブジェ３０である。メッセージ欄Ｍ１を備える面Ｓ４が第１天面３２となり、メッセージ欄Ｍ２を備える面Ｓ１０が第３底面３１となる。このため、一方のメッセージ等を天面にて表示しつつ、他方のメッセージ等を底面にて隠すよう飾ることができる。また、中空三角筒形状をなすため、安定的に置くことができる。
【００５６】
また、本実施形態では特に、立体形状態様として、第４態様を選択的に実現可能となっている。第４態様は、有底四角筒形状をなすオブジェ４０である。メッセージ欄Ｍ１及びＭ２を備える面Ｓ４及びＳ１０が、それぞれ第４前面４１及び第４後面４２となる。従って、第２態様と同等にメッセージを飾ることができる。また、縦置き上方の開口部４０ａを介し、オブジェ４０の内部にて物品類を収納できる。例えば、オブジェ４０を、筆記具を収納するためのペン立て等として用いることができる。以上より、メッセージを飾るオブジェ４０に、物品類を収容する機能を加えることができる。
【００５７】
また、本実施形態では特に、立体形状態様として、第５態様を選択的に実現可能となっている。第５態様は、略扁平形状をなすオブジェ５０である。メッセージ欄Ｍ１を備える面Ｓ４が、上面５１となり、メッセージ欄Ｍ２を備える面Ｓ１０を含む他の複数面は、上面５１の下方で折り畳まれて収納される。このため、オブジェ５０は、メッセージ等を表示しつつ、コンパクトな状態を保持できる。従って、オブジェ５０を容易に携帯することができる。
【００５８】
以上より、例えば、第１態様から、第２態様、第３態様、第４態様、第５態様のうち何れか１態様に変形させることで、物品類を収容可能なメッセージ欄付きの箱体１０から、メッセージを飾るためのオブジェ２０、３０、４０、５０のうち何れか１つへと変形させることができる。従って、第１態様に対応する箱体１０から物品類を取出した後に、その箱体１０を第２〜５態様の何れかに対応するオブジェに変形させて、メッセージを飾ることができる。また、第２〜５態様のうち何れか１態様から他の態様へ変形させることで、メッセージの飾り方を変更することができる。このように、本実施形態のシート体１００によれば、形状態様の変形が可能で、メッセージを飾ることができる。
【００５９】
また、本実施形態では特に、シート体１００の折り線Ｌ１〜Ｌ１４の折り込みにより第１〜４態様が実現され、第５態様のみ、折り線Ｌ１５が更に追加されて実現される。第５態様の組立において、折り線Ｌ１５により、他の態様の組立に比して、折り畳む回数を増やすことができる。従って、第５態様の特徴であるコンパクトな状態の保持を、容易に達成できる。
【００６０】
また、本実施形態では特に、第２態様の中空四角筒形状、第３態様の中空三角筒形状、第４態様の有底四角筒形状、第５態様の略扁平形状のそれぞれにおいて、メッセージ欄Ｍ１又はＭ２が外部に露出する。従って、各オブジェに表示されるメッセージ等を、目立たせることができる。
【００６１】
また、本実施形態では特に、第１態様の前記略直方体形状において、メッセージ欄Ｍ１及びＭ２が内側に位置する。即ち、箱体１０が組立てられたときに、メッセージ欄Ｍ１及びＭ２に表示されたメッセージ等が、箱体１０を構成する各面によって遮蔽される。従って、箱体１０に物品類を収納し、メッセージを物品類とともに、他から見られることなく相手先に届けることができる。
【００６２】
また、本実施形態では特に、組立の際に、面Ｓ１１の開口Ｅ１１１、面Ｓ１２の開口Ｅ１２１に対し、面Ｓ５の左端辺Ｅ５、面Ｓ６の右端辺Ｅ６がそれぞれ挿入される。開口Ｅ１１１及びＥ１２１の寸法としては、シート体１００を平置きした状態において、開口Ｅ１１１及びＥ１２１の長さは、左端辺Ｅ５及び右端辺Ｅ６よりもそれぞれ長い。従って、上記挿入を簡単に行うことができ、迅速に組み立てることができる。
【００６３】
＜変形例＞
なお、本発明は、上記実施形態に限られるものではなく、その趣旨及び技術的思想を逸脱しない範囲内で種々の変形が可能である。以下、そのような変形例を説明する。
【００６４】
上記実施形態においては、第１態様が略直方体形状をなしているが、これに代えて、第１態様が略立方体形状をなすよう構成されてもよい。この場合、箱体１０の各面に対応するシート体１００の複数面が、正方形となるよう構成される。
【００６５】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００６６】
また、以上既に述べた以外にも、上記実施形態や各変形例による手法を適宜組み合わせて利用しても良い。
【００６７】
その他、一々例示はしないが、本発明は、その趣旨を逸脱しない範囲内において、種々の変更が加えられて実施されるものである。
【符号の説明】
【００６８】
１０              箱体
１１              第１前面
１２              第１後面
１３              第１後面
１４              第１頂面
１５              第１左面
１６              第１右面
２０              オブジェ
２０ａ            左開口部
２０ｂ            右開口部
２１              第２前面
２２              第２後面
２３              第２底面
２４              第２頂面
３０              オブジェ
３０ａ            左開口部
３０ｂ            右開口部
３１              第３底面
３２              第１天面
３３              第２天面
４０              オブジェ
４０ａ            開口部
４１              第４前面
４２              第４後面
４３              第４底面
４４              第４左面
４５              第４右面
５０              オブジェ
５１              上面
１００            シート体
Ｃ１〜Ｃ８        切り込み
Ｅ５              左端辺
Ｅ６              右端辺
Ｅ１１１          開口
Ｅ１２１          開口
Ｌ１〜Ｌ１４      折り線
Ｌ１５            折り線
Ｍ１              メッセージ欄
Ｍ２              メッセージ欄
Ｓ１〜Ｓ１５      複数面
Ｓ４              面
Ｓ５              面
Ｓ６              面
Ｓ１０            面
Ｓ１１            面
Ｓ１２            面
【要約】
【課題】シート体からの形状態様を変形可能とし、メッセージを飾ることができるようにする。
【解決手段】シート体１００は、２枚シートで構成され、メッセージ欄Ｍ１及びＭ２を備えた面Ｓ４及びＳ１０を含む複数面Ｓ１〜Ｓ１５を有する。シート体１００は、挿入部の面Ｓ５及びＳ６、開口Ｅ１１１及びＥ１２１を備えた被挿入部の面Ｓ１１及びＳ１２を有し、複数面Ｓ１〜Ｓ１５の間に、折り線Ｌ１〜Ｌ１４、切り込みＣ１〜Ｃ８を設ける。挿入部の被挿入部への挿入、折り線の折り込みにより、シート体１００は、第１態様、第２態様、第３態様を含む、複数の立体形状態様を選択的に実現可能に構成される。第１、第２、第３態様は、それぞれ略直方体形状をなす箱体１０、中空四角筒形状をなすオブジェ２０、中空三角筒形状をなすオブジェ３０に対応する。
【選択図】図１【図１】
0006871671.tif 000002
【図２】
0006871671.tif 000003
【図３】
0006871671.tif 000004
【図４】
0006871671.tif 000005
【図５】
0006871671.tif 000006
【図６】
0006871671.tif 000007
【図７】
0006871671.tif 000008
【図８】
0006871671.tif 000009
【図９】
0006871671.tif 000010
【図１０】
0006871671.tif 000011
【図１１】
0006871671.tif 000012